(57)【要約】　　　（修正有）【課題】表示内容に応じて１素子毎に電圧を印加してクロストークのない電気泳動マトリクス表示装置を提供する。【解決手段】電極（Ｅ１，Ｅ２）は、一方の電極が全面電極で、他方の電極が個別に電圧を印加できる分割電極として構成された表示装置と、エミッタ−コレクタが縦属接続されて一方端が正電源に、他方端が負電源に接続されて両トランジスタの中間に出力端子が接続され、かつ各ベースにはトランジスタ毎に導通方向が異なるようにダイオード（Ｄ１，Ｄ２）が直列接続された一対のトランジスタ（Ｑ１，Ｑ２）を有し、分割電極に正電圧または負電圧を印加するスイッチング回路（ＳＣ）と、一対のトランジスタのエミッタ−コレクタに正電源および負電源を接続する第１のスイッチ（ＳＷ１）と、ダイオードを介して一対のトランジスタのいづれかのベースを選択的に接地する第２のスイッチ（ＳＷ１０）と、をそなえる。【選択図】　図１
2004004658.tif 000002
【特許請求の範囲】
【請求項１】
一組の電極を介して電界を印加することにより電気泳動用分散系に含まれる粒子が移動する電気泳動装置であって、
前記一組の電極のうち一方は分割電極であり、前記分割電極に対応してスイッチング回路が設けられており、
前記スイッチング回路は、
第１の電源と第２の電源との間に直列に接続された第１のトランジスタおよび第２のトランジスタを含み、
前記第１のトランジスタおよび前記第２のトランジスタがそれぞれ前記第１の電源および前記第２の電源に接続されている状態で、信号が供給されることにより、前記第１のトランジスタまたは前記第２のトランジスタのいずれか一方が選択され、
当該選択されたトランジスタおよび前記第１のトランジスタと前記第２のトランジスタとの間に接続された出力端子を介して、前記第１の電源および前記第２の電源のうち前記当該選択されたトランジスタに接続された電源から前記分割電極に電圧が供給されること、
を特徴とする電気泳動装置。
【請求項２】
請求項１に記載の電気泳動装置において、
前記第１のトランジスタおよび前記第２のトランジスタのうち前記信号の極性に応じて選択されるトランジスタが決定されること、
を特徴とする電気泳動装置。
【請求項３】
請求項１または２に記載の電気泳動装置において、
前記第１の電源および前記第２の電源はそれぞれ正電源および負電源であること、
を特徴とする電気泳動装置。
【請求項４】
請求項３に記載の電気泳動装置において、
前記分割電極には前記正電源または前記負電源からの電圧が供給されること、
を特徴とする電気泳動装置。
【請求項５】
請求項１乃至４のいずれかに記載の電気泳動装置において、前記出力端子と前記第１の電源または前記第２の電源とを切り離すことにより前記分割電極に電圧を印加しないことが可能であること、
を特徴とする電気泳動装置。
【請求項６】
請求項１乃至５のいずれかに記載の電気泳動装置において、
さらに、前記信号の供給を制御する第１のスイッチを含むこと、
を特徴とする電気泳動装置。
【請求項７】
請求項１乃至６のいずれかに記載の電気泳動装置において、さらに、前記第１のトランジスタと前記第１の電源との接続および前記第２のトランジスタと前記第２の電源との接続を制御する第２のスイッチを含むこと、
を特徴とする電気泳動装置。
【発明の詳細な説明】
【０００１】
【産業上の利用分野】
本発明は電気泳動作用を利用して表示動作を行う装置に係り、とくに表示動作のために電極に電圧を印加する回路の構成に関する。
【０００２】
【従来の技術】
電気泳動表示装置は、一組の対向配置された電極間に、たとえば黒色液体分散媒中に白色顔料微粒子を分散せしめた表示用分散系を配し、電極間に書換すべき内容に応じた電界を印加して電気泳動作用を起こし、微粒子を移動させることにより所望内容の表示を行わせるものである。この場合、印加する電界により微粒子の移動状況が決まり、その状況を透明電極を通して観察するように表示が行われる。
【０００３】
表示は、印加される電界の強さ、方向によってコントラストが生じるものであり、対向する２つの電極群のうち一方の組の電極群から選択信号を供給し、他方の組の電極群から正電界または負電界を情報信号として供給することにより１素子または１列づつ表示の書換を行う。
【０００４】
【発明が解決しようとする課題】
電界の印加は、選択された素子と選択されていない素子とが識別されて行われればよいのであるが、選択されていない素子にも不要な電圧つまりいわゆるクロストーク電圧が印加されることがあり、表示が不鮮明になる。
【０００５】
本発明は上述の点を考慮してなされたもので、表示内容に応じて１素子毎に電圧を印加してクロストークのない表示を行い得る電気泳動マトリクス表示装置を提供することを目的とする。
【０００６】
【課題を解決するための手段】
上記目的達成のため、本発明の電気泳動装置は、
一組の電極を介して電界を印加することにより電気泳動用分散系に含まれる粒子が移動する電気泳動装置であって、　前記一組の電極のうち一方は分割電極であり、前記分割電極に対応してスイッチング回路が設けられており、　　前記スイッチング回路は、第１の電源と第２の電源との間に直列に接続された第１のトランジスタおよび第２のトランジスタを含み、前記第１のトランジスタおよび前記第２のトランジスタがそれぞれ前記第１の電源および前記第２の電源に接続されている状態で、信号が供給されることにより、前記第１のトランジスタまたは前記第２のトランジスタのいずれか一方が選択され、　当該選択されたトランジスタおよび前記第１のトランジスタと前記第２のトランジスタとの間に接続された出力端子を介して、前記第１の電源および前記第２の電源のうち前記当該選択されたトランジスタに接続された電源から前記分割電極に電圧が供給されること、を特徴としている。
上記の電気泳動装置において、前記第１のトランジスタおよび前記第２のトランジスタのうち前記信号の極性に応じて選択されるトランジスタが決定されることが好ましい。
上記の電気泳動装置において、前記第１の電源および前記第２の電源はそれぞれ正電源および負電源であってもよく、その場合、前記分割電極には前記正電源または前記負電源からの電圧が供給されることが好ましい。
上記の電気泳動装置において、前記出力端子と前記第１の電源または前記第２の電源とを切り離すことにより前記分割電極に電圧を印加しないことが可能であることが好ましい。
上記の電気泳動装置において、さらに、前記信号の供給を制御する第１のスイッチを含むようにしてもよい。
上記の電気泳動装置において、さらに、前記第１のトランジスタと前記第１の電源との接続および前記第２のトランジスタと前記第２の電源との接続を制御する第２のスイッチを含むようにしてもよい。
本発明の電気泳動マトリクス表示装置は、互いに対向する一組の電極間に、液相分散媒と粒子とを含んだ電気泳動表示用分散系が配されてなり、前記電極間に電界を印加して前記分散媒の泳動を生じさせることにより表示を行う電気泳動マトリクス表示装置において、前記一組の電極は、一方の電極が全面電極で、他方の電極が個別に電圧を印加できる分割電極として構成された表示装置と、エミッタ−コレクタが縦属接続されて一方端が正電源に、他方端が負電源に接続されて両トランジスタの中間に出力端子が接続され、かつ各ベースにはトランジスタ毎に導通方向が異なるようにダイオードが直列接続された一対のトランジスタを有し、前記分割電極の一つに正電圧または負電圧を印加するスイッチング回路と、前記一対のトランジスタのエミッタ−コレクタに正電源および負電源を接続する第１のスイッチと、前記ダイオードを介して前記一対のトランジスタのいづれかのベースを選択的に接地する第２のスイッチと、をそなえたことを特徴とする。
【０００７】
【作用】
表示装置の全面電極と各分割電極との間に、電界が印加される。各分割電極は、スイッチング回路の一対のトランジスタのうちの選択されたものから出力端子を介して電圧が印加される。トランジスタの選択は、制御信号に応じて一対のトランジスタの一方のみをオンにすることにより行われる。この制御信号の経路にダイオードが設けられているから、制御信号の極性に応じて選択されるトランジスタが決まる。
【０００８】
このようにして選択されたトランジスタにより分割電極と全面電極との間に電圧が印加されて表示用分散媒における粒子が泳動作用を行うことにより表示が行われる。そして、選択されないトランジスタには電圧が印加されず、したがって選択されないトランジスタに対応する分割電極は表示を行わない。
【０００９】
【発明の効果】
本発明は上述のように、電気泳動マトリクス装置に所望の分割電極につながるトランジスタのみを選択するようにしたため、いわゆるクロストーク電圧が所望外の電極に印加されることがなく、不鮮明な表示となることを防止できる。
【００１０】
【実施例】
図１は、本発明を適用する電気泳動マトリクス表示装置の構成を示したものである。同図において、Ｅ１は全面電極であり、ＧＮＤに接続されて接地状態になる。Ｅ２は、全面電極Ｅ１に対向配置された分割電極であり、各分割電極はそれぞれ端子Ｔ１，Ｔ２，Ｔ３…Ｔｎに接続されている。これらの端子Ｔ１，Ｔ２，Ｔ３…Ｔｎは、表示装置が行うべき表示内容に応じて正または負の電源＋Ｖまたは−Ｖに接続される。
【００１１】
そして正の電源＋Ｖに分割電極が接続された端子Ｔ１を持つ素子は、図示のように分割電極側に粒子が寄るのに対し、負の電源−Ｖに接続された端子Ｔ２を持つ素子は、全面電極側に粒子が寄る。この粒子を電気泳動作用で移動させることにより表示の書換を行うことができる。書き換えられた表示は、電圧の印加を停止してもそのままの表示を保つ。
【００１２】
図２は、図１における各分割電極毎の４つの素子に対して電圧印加を行う回路を示したものである。同図における４つの素子のうち１つについて符号を付して説明する。
【００１３】
この回路は、素子の端子Ｔ１，Ｔ２，Ｔ３…に接続される端子Ｔを持ったスイッチング回路ＳＣを各素子用にそなえた回路として構成されている。そして、このスイッチング回路ＳＣは、正の電源＋Ｖおよび負の電源−Ｖに接続される２つの端子から正、負の電圧が供給され、スイッチＳＷ１０を介してＧＮＤに接続される端子１、２のいづれかにより接地されて回路動作を行い、出力を端子Ｔに生じる。スイッチＳＷ１０は、表示装置の表示素子行列における各列毎に設けられており、選択的に切換操作される。
【００１４】
図３は、図２のスイッチング回路ＳＣの内部構成を詳細に示したものである。すなわち、スイッチング要素として２つのトランジスタＱ１，Ｑ２を有する。そして各トランジスタＱ１，Ｑ２のベースにはダイオードＤ１，Ｄ２が挿入されている。
【００１５】
トランジスタＱ１はＰＮＰトランジスタであり、同Ｑ２はＮＰＮトランジスタであり、これら両者が直列接続されて正電源＋Ｖおよび負の電源−Ｖとの間に、スイッチＳＷ１を介して接続されている。スイッチＳＷ１は、表示装置の表示素子行列における各行毎に設けられており、選択的に開閉される。
【００１６】
またトランジスタＱ１，Ｑ２の中間には、端子Ｔが接続されている。そして、トランジスタＱ１のベース、エミッタ間に抵抗Ｒ１が、またトランジスタＱ２のベース、エミッタ間に抵抗Ｒ２が接続されている。さらに、トランジスタＱ１のベースにはダイオードＤ１が、またトランジスタＱ２のベースにはダイオードＤ２が、それぞれベース電流が流れる方向に挿入されている。
【００１７】
この場合、２つのトランジスタの導電形式が、ＰＮＰとＮＰＮであって相違するから、ダイオードＤ１と同Ｄ２とはトランジスタに対する向きが反対に接続されている。これにより、一対のトランジスタの一方のみにベース電流を流すことができる。
【００１８】
そして、ダイオードＤ１およびＤ２の各他端は、それぞれスイッチＳＷ１０の２つの固定端子に各別に接続されている。スイッチＳＷ１０の切換端子はＧＮＤに接続されている。
【００１９】
この回路において、スイッチＳＷ１を閉じた状態で、スイッチＳＷ１０を固定接点ＡまたはＢに切り換えると、トランジスタＱ１またはＱ２がターンオンして端子Ｔに正電源＋Ｖまたは負の電源−Ｖの電圧を給電する。これにより表示装置の表示内容が書き換えられる。
【００２０】
スイッチＳＷ１を開けば、当該スイッチに接続されたトランジスタは、端子Ｔに電圧を生じないから表示装置には、書換のための電圧が印加されないから、表示装置の表示内容は変化しない。
【００２１】
端子Ｔは、上述のように表示装置の端子Ｔ１，Ｔ２…に接続されるから表示装置が表示動作を行う。表示内容の書換を行う場合は、スイッチＳＷ１０を切り換える。
【００２２】
図３の回路では、４つの素子に付き行方向および列方向それぞれに２素子づつ２つづつのスイッチＳＷ１ＳＷ１０が設けられた構成となっているから、これら２つづつのスイッチの切換により１素子毎の表示書換ができる。
【図面の簡単な説明】
【図１】本発明の適用対象である電気泳動表示装置の構成を示す図。
【図２】図１に示す表示装置を駆動する回路を示す図。
【図３】本発明の一実施例における回路の詳細構成を示す図。
【符号の説明】
Ｄ　ダイオード
Ｅ１　全面電極
Ｅ２　分割電極
Ｑ　トランジスタ
ＳＣ　スイッチング回路
ＳＷ　スイッチ
Ｔ　端子
【図１】
2004004658.tif 000003
【図２】
2004004658.tif 000004
【図３】
2004004658.tif 000005